(57)【要約】【課題】撮影画像の付属情報として工事基本付加情報を簡単に入力することができる撮像装置を提供する。【解決手段】この撮像装置１０は、ＧＰＳ装置１８２を有するとともに、撮影する画像が通常画像か工事画像かを設定する手段を有し、工事画像の設定時に撮影された画像に対し、その付属情報として工事箇所の重要度レベル情報、規模レベル情報、予算レベル情報、進捗レベル情報、優先度情報、資材過不足要求レベル情報、及びメッセージファイルリンク先情報等の工事基本付加情報を入力することができる。このようにして入力された工事基本付加情報は、撮影箇所を示すＧＰＳ情報と同様に工事画像が記録される画像ファイルのタグ情報として記録される。【選択図】      図３
2006074701.tif 000002
【特許請求の範囲】
【請求項１】
撮影する画像が通常画像か工事画像かを設定する手段と、
工事画像の設定時に撮影された画像に対し、その付属情報として工事基本付加情報の入力が可能な情報入力手段と、
前記画像とともに前記情報入力手段によって入力された工事基本付加情報を前記画像に関連付けて記録媒体に記録する記録手段と、
を備えたことを特徴とする撮像装置。
【請求項２】
通常の撮影画像が格納される通常画像フォルダと、工事現場の撮影画像が格納される工事画像フォルダとを記録媒体に作成する手段と、通常画像の設定時に撮影画像を通常画像フォルダに格納し、工事画像の設定時に撮影画像を工事画像フォルダに格納する手段と、前記通常画像フォルダ内の画像を再生させる第１の再生モードと、工事画像フォルダ内の画像を再生させる第２の再生モードのうちのいずれかの再生モードを選択する手段と、前記第２の再生モード時に前記工事画像フォルダ内の画像を選択して表示手段に表示させる手段とを備え、
前記情報入力手段は、前記工事画像フォルダ内の画像の再生時に再生画像の付属情報として工事基本付加情報の入力が可能になることを特徴とする請求項１に記載の撮像装置。
【請求項３】
前記記録手段は、前記情報入力手段によって入力された工事基本付加情報を前記画像が記録された画像ファイルのタグ情報として記録することを特徴とする請求項１又は２に記載の撮像装置。
【請求項４】
撮影時にＧＰＳ情報を取得するＧＰＳ情報取得手段を備え、前記記録手段は、前記ＧＰＳ情報を撮影画像の画像ファイルのタグ情報として記録することを特徴とする請求項１乃至３のいずれかに記載の撮像装置。
【請求項５】
前記工事基本付加情報は、工事箇所の重要度レベル情報、規模レベル情報、予算レベル情報、進捗レベル情報、優先度情報、資材過不足要求レベル情報、及びメッセージファイルリンク先情報のうちの少なくとも１つの情報であることを特徴とする請求項１乃至４のいずれかに記載の撮像装置。
【請求項６】
前記情報入力手段は、情報入力用の操作画面を表示させる手段を有し、前記操作画面を操作して所望の情報を入力することを特徴とする請求項１乃至５のいずれかに記載の撮像装置。
【請求項７】
前記情報入力手段によって入力された工事基本付加情報をテキストファイル化した付加情報ファイルを生成する手段を備え、前記記録手段は、前記付加情報管理ファイルを前記画像が記録された画像ファイルに関連付けて前記記録媒体に記録することを特徴とする請求項１乃至６のいずれかに記載の撮像装置。
【請求項８】
前記工事画像フォルダ内の画像と該画像に対応して入力された工事基本付加情報とを確認するための情報確認用ＷＥＢファイルを生成する手段を備え、前記記録手段は、前記情報確認用ＷＥＢファイルを前記記録媒体に記録することを特徴とする請求項１乃至７のいずれかに記載の撮像装置。
【発明の詳細な説明】
【技術分野】
【０００１】
本発明は撮像装置に係り、特に工事現場で撮影した撮影画像とともに、該撮影画像に対して工事基本付加情報の入力が可能な撮像装置に関する。
【背景技術】
【０００２】
ＧＰＳ装置（Global Positioning System)を搭載したデジタルカメラは、撮影画像に対応してＧＰＳ装置によって測位した緯度、経度等のＧＰＳ情報を撮影画像が記録される画像ファイルのタグ情報として記録できるようになっている。
【０００３】
特許文献１には、ＧＰＳ情報を有する撮影画像のサムネイル画像を、ＧＰＳ情報を使用して電子地図上の対応する位置にマッピングする画像再生方法が提案されている。
【０００４】
この画像再生方法は、各撮影画像に対応して記録されたＧＰＳ情報を読み取り、地図データを記憶する記録媒体から所望の地図データを読み出し、前記撮影画像の撮影ポイントを含む電子地図をモニタに表示し、撮影画像とともに読み取ったＧＰＳ情報に基づいて各撮影画像のサムネイルを電子地図上の対応する位置に表示するようにしている。これにより、撮影画像の撮影ポイントを容易に確認することができるようにしている。
【特許文献１】特開平１０−２３３９８５号公報
【発明の開示】
【発明が解決しようとする課題】
【０００５】
従来のＧＰＳ装置を搭載したデジタルカメラは、例えば、工事現場等で使用することにより撮影画像とその撮影ポイントとの関係を記録することができるが、工事現場の建設がどれくらい進んでいるか、どの工程を優先させるべきか、資材の過不足等の工事現場の詳細な情報（工事基本付加情報）を記録することができない。
【０００６】
尚、ＧＰＳ情報を有する撮影画像は、特許文献１に記載されている技術を使用して電子地図上にマッピングすることができるが、このマッピング画像だけでは工事現場の状況を正確に把握することができない。
【０００７】
一方、工事基本付加情報を別途パソコン等によって入力する場合、撮影画像と工事基本付加情報との対応関係を誤って入力したり、工事基本付加情報の入力に大きな労力や時間を要するという問題がある。
【０００８】
本発明はこのような事情に鑑みてなされたもので、撮影画像の付属情報として工事基本付加情報を簡単に入力することができる撮像装置を提供することを目的とする。
【課題を解決するための手段】
【０００９】
前記目的を達成するために請求項１に係る撮像装置は、撮影する画像が通常画像か工事画像かを設定する手段と、工事画像の設定時に撮影された画像に対し、その付属情報として工事基本付加情報の入力が可能な情報入力手段と、前記画像とともに前記情報入力手段によって入力された工事基本付加情報を前記画像に関連付けて記録媒体に記録する記録手段と、を備えたことを特徴としている。
【００１０】
この撮像装置は、通常画像の撮影と工事画像の撮影とを行なうことができ、工事画像の撮影が選択された場合には、情報入力手段の操作により工事画像の付属情報として工事基本付加情報を入力することができるようになっている。この工事情報基本付加情報は前記工事画像に関連付けて記録媒体に記録される。これにより、工事現場で撮影された工事画像に対してその現場で工事基本付加情報を入力することができ、その工事基本付加情報を関連付けて記録することができる。
【００１１】
請求項２に示すように請求項１に記載の撮像装置において、通常の撮影画像が格納される通常画像フォルダと、工事現場の撮影画像が格納される工事画像フォルダとを記録媒体に作成する手段と、通常画像の設定時に撮影画像を通常画像フォルダに格納し、工事画像の設定時に撮影画像を工事画像フォルダに格納する手段と、前記通常画像フォルダ内の画像を再生させる第１の再生モードと、工事画像フォルダ内の画像を再生させる第２の再生モードのうちのいずれかの再生モードを選択する手段と、前記第２の再生モード時に前記工事画像フォルダ内の画像を選択して表示手段に表示させる手段とを備え、前記情報入力手段は、前記工事画像フォルダ内の画像の再生時に再生画像の付属情報として工事基本付加情報の入力が可能になることを特徴としている。
【００１２】
即ち、この撮像装置は、通常画像と工事画像とはそれぞれ通常画像フォルダと工事画像フォルダとに格納される。通常画像と工事画像のいずれの撮影を行なうかは、利用者が適宜設定できるようになっている。また、同じ撮影画像を通常画像フォルダと工事画像フォルダの両方に格納する設定も可能である。再生モードとしては、通常画像フォルダ内の画像を再生させる第１の再生モードと、工事画像フォルダ内の画像を再生させる第２の再生モードとが用意されており、特に第２の再生モードでは、前記情報入力手段を操作することにより再生された工事画像の付属情報として工事基本付加情報を入力することができる。
【００１３】
請求項３に示すように請求項１又は２に記載の撮像装置において、前記記録手段は、前記情報入力手段によって入力された工事基本付加情報を前記画像が記録された画像ファイルのタグ情報として記録することを特徴としている。これにより、工事画像と工事情報基本付加情報とを同一ファイルに記録することができる。
【００１４】
請求項４に示すように請求項１乃至３のいずれかに記載の撮像装置において、撮影時にＧＰＳ情報を取得するＧＰＳ情報取得手段を備え、前記記録手段は、前記ＧＰＳ情報を撮影画像の画像ファイルのタグ情報として記録することを特徴としている。
【００１５】
請求項５に示すように請求項１乃至４のいずれかに記載の撮像装置において、前記工事基本付加情報は、工事箇所の重要度レベル情報、規模レベル情報、予算レベル情報、進捗レベル情報、優先度情報、資材過不足要求レベル情報、及びメッセージファイルリンク先情報のうちの少なくとも１つの情報であることを特徴としている。
【００１６】
請求項６に示すように請求項１乃至５のいずれかに記載の撮像装置において、前記情報入力手段は、情報入力用の操作画面を表示させる手段を有し、前記操作画面を操作して所望の情報を入力することを特徴としている。情報入力用の操作画面を表示させることにより、入力操作の労力の軽減及び簡易化を図ることができる。
【００１７】
請求項７に示すように請求項１乃至６のいずれかに記載の撮像装置において、前記情報入力手段によって入力された工事基本付加情報をテキストファイル化した付加情報ファイルを生成する手段を備え、前記記録手段は、前記付加情報管理ファイルを前記画像が記録された画像ファイルに関連付けて前記記録媒体に記録することを特徴としている。工事基本付加情報を画像ファイルとは別途テキストファイル化することで、工事基本付加情報を共有する際の情報の取り扱いが容易になる。
【００１８】
請求項８に示すように請求項１乃至７のいずれかに記載の撮像装置において、前記工事画像フォルダ内の画像と該画像に対応して入力された工事基本付加情報とを確認するための情報確認用ＷＥＢファイルを生成する手段を備え、前記記録手段は、前記情報確認用ＷＥＢファイルを前記記録媒体に記録することを特徴としている。前記情報確認用ＷＥＢファイルを同時に作成することにより、撮像装置自体、又は携帯情報端末（ＰＤＡ）や携帯電話など軽いオペレーティングシステム（ＯＳ）などにおいて簡易的に表示することができ、工事基本付加情報等を簡単に確認することができる。
【発明の効果】
【００１９】
本発明によれば、工事現場で撮影した工事画像に対し、その撮影した撮像装置を使用して簡単に工事画像の付属情報として工事基本付加情報を入力することができる。
【発明を実施するための最良の形態】
【００２０】
以下添付図面に従って本発明に係る撮像装置の好ましい実施の形態について詳説する。［撮像装置］
図１及び図２はそれぞれ本発明に係る撮像装置の一実施形態を示す正面斜視図と背面斜視図である。
【００２１】
この撮像装置１０は、ＧＰＳ機能を備え、特に工事現場での撮影に適したデジタルカメラであり、そのカメラボディ１２の正面には、図１に示すように撮影レンズ１４、ファインダ窓１６、ストロボ１８等が設けられており、上面にはシャッターボタン２２、電源／モードスイッチ２４、モードダイヤル２６等が設けられている。
【００２２】
また、カメラボディ１２の背面には、図２に示すようにファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０等が設けられており、片側の側面には、ＵＳＢ端子４４、電源端子４６、ＡＶ出力端子４８が設けられている。
【００２３】
また、図示しないカメラボディ１２の底面には、開閉自在なカバーを介してバッテリーを収納するためのバッテリー収納室と、メモリカードを装填するためのメモリカードスロットとが設けられている。
【００２４】
シャッターボタン２２は、いわゆる「半押し」と「全押し」とからなる２段ストローク式のスイッチで構成されている。撮像装置１０は、このシャッターボタン２２を半押しすると、ＡＥ（Automatic Exposure：自動露出）、ＡＦ（Auto Focus：自動合焦）、ＡＷＢ（Automatic White Balance ：自動ホワイトバランス）が機能し、全押しすると、画像記録の処理を実行する。
【００２５】
電源／モードスイッチ２４は、撮像装置１０の電源をＯＮ／ＯＦＦする電源スイッチとしての機能と、撮像装置１０のモードを設定するモードスイッチとしての機能を有しており、「ＯＦＦ位置」、「再生位置」、「撮影位置」の間をスライド自在に設けられている。撮像装置１０は、この電源／モードスイッチ２４を「再生位置」又は「撮影位置」に合わせることにより、電源がＯＮになり、「ＯＦＦ位置」に合わせることにより、電源がＯＦＦになる。そして、電源／モードスイッチ２４を「再生位置」に合わせることにより、「再生モード」に設定され、記録済み画像の再生が可能になる。また、「撮影位置」に合わせることにより、「撮影モード」に設定され、画像記録が可能になる。
【００２６】
モードダイヤル２６は、撮像装置１０の撮影モードを設定する撮影モード設定手段として機能し、このモードダイヤルの設定位置により、撮像装置１０の撮影モードが、「オート撮影モード」、「プログラム撮影モード」、「絞り優先撮影モード」、「シャッタースピード優先撮影モード」、「マニュアル撮影モード」、「測位モード」に設定される。
【００２７】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００２８】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２９】
十字ボタン３４は、上下左右４方向に押圧操作することができるようにされており、各方向の指示を入力するボタンとして機能する。
【００３０】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。尚、この実施の形態では、撮影モード時のメニュー画面において、撮影する画像の種類として、(1) 通常画像、(2) 工事画像、(3) 通常画像及び工事画像のうちのいずれかを設定できるようになっている。(1) 通常画像が設定されると、撮影画像は、記憶メディア１５０の通常画像フォルダに格納され、(2) 工事画像が設定されると、撮影画像は、記憶メディア１５０の工事画像フォルダに格納され、(3) 通常画像及び工事画像が設定されると、撮影画像は、記憶メディア１５０の通常画像フォルダ及び工事画像フォルダの両方に格納される。尚、この詳細については後述する。
【００３１】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００３２】
図３は撮像装置１０の電気的構成を示すブロック図である。
【００３３】
同図に示すように、撮像装置１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＬＣＤ／ビデオエンコーダ１５４、オンスクリーンディスプレイ（ＯＳＤ）回路１５６、ＡＥ／ＡＷＢ検出回路１５８、ＡＦ検出回路１６０、ＵＳＢコントローラ１８０、ＧＰＳ装置１８２、タイマ１８４等で構成されている。
【００３４】
ＣＰＵ１１０は、撮像装置全体の動作を制御する制御部として機能するとともに、各種の演算処理を行う演算手段として機能し、操作部１１２からの入力に基づき所定の制御プログラムに従って各回路を制御する。バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等の撮像装置１０の動作に関する各種設定情報等が格納される。メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００３５】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００３６】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００３７】
タイミングジェネレータ（ＴＧ）１３６は、ＣＰＵ１１０からの指令に従って主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００３８】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００３９】
Ａ／Ｄ変換器１４０は、アナログ処理回路１３８から出力されたＲ、Ｇ、Ｂのアナログの画像信号をそれぞれ１２ビットのデジタルの画像信号に変換する。画像入力コントローラ１４２は、所定容量のラインバッファを内蔵し、Ａ／Ｄ変換器１４０から出力された１画像分の画像信号を蓄積して、メモリ１２０に格納する。
【００４０】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００４１】
圧縮・伸張処理回路１４６は、ＣＰＵ１１０からの指令に従って入力された画像データに圧縮処理を施し、所定フォーマットの圧縮画像データを生成する。また、入力された圧縮画像データに伸張処理を施し、非圧縮のデジタル画像データを生成する。
【００４２】
メディアコントローラ１４８は、ＣＰＵ１１０からの指令に従ってメディアスロットに装填された記憶メディア（メモリカード）１５０に対してデータの読み出し及び書き込みを制御する。
【００４３】
ＬＣＤ／ビデオエンコーダ１５４は、ＣＰＵ１１０からの指令に従って画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００４４】
ＯＳＤ（On Screen Display ）回路１５６は、ＣＰＵ１１０からの指令に従って液晶モニタ等の画面上に表示する文字や図形を示す信号をＬＣＤ／ビデオエンコーダ１５４に出力する。
【００４５】
ＡＥ／ＡＷＢ検出回路１５８は、ＣＰＵ１１０からの指令に従って、入力された画像信号からＡＥ制御及びＡＷＢ制御に必要な物理量を算出する。
【００４６】
たとえば、ＡＥ制御に必要な物理量として、１画面を複数のエリア（たとえば１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。
【００４７】
また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００４８】
ＡＦ検出回路１６０は、ＣＰＵ１１０からの指令に従って、入力された画像信号からＡＦ制御に必要な物理量を算出する。本実施の形態の撮像装置１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００４９】
ＵＳＢコントローラ１８０は、ＣＰＵ１１０からの指令に従ってＵＳＢケーブルを介してＵＳＢ端子４４に接続された外部機器（たとえばパソコンやプリンタ）との間でＵＳＢ規格に従った通信の制御を行う。ＧＰＳ装置１８２は、アンテナを含み、ＣＰＵ１１０からの指令に基づきＧＰＳ衛星からの電波を受信する。そして、その受信電波を解析して位置情報（緯度と経度）を取得し、取得した位置情報をＣＰＵ１１０に出力する。タイマ１８４は、ＣＰＵ１１０からの指令に応じて現在日時を計時し、計時した現在日時の情報をＣＰＵ１１０に出力する。
【００５０】
次に、上記構成の撮像装置１０における工事画像の撮影・記録処理時の動作について説明する。
【００５１】
図４は予めメニュー画面上で工事画像の撮影が設定されている場合の処理内容を示すフローチャートである。
【００５２】
この場合、撮像装置１０は、シャッターボタン２２の半押しでＡＥ、ＡＦ処理を実行し（ステップＳ１０）、ＧＰＳ装置１８２からＧＰＳ情報を取得する（ステップＳ１２）。続いて、シャッターボタン２２の全押しで撮影画像とともに、前記取得したＧＰＳ情報を記憶メディア１５０に記録する（ステップＳ１４）。
【００５３】
ここで、メディアコントローラ１４８は、図５に示すツリー構造をもったフォルダを作成し、対応するフォルダに画像ファイル等を記録する。即ち、DSC-DATAのルートディレクトリDSC-DATAの直下に同一階層の工事画像フォルダFOR-CONST と、通常画像フォルダUSR-NORMALが作成され、工事画像フォルダFOR-CONST には工事画像が記録された情報付加画像ファイルが格納され、通常画像フォルダUSR-NORMALには通常画像が記録された通常画像ファイルが格納される。また、工事画像フォルダFOR-CONST には、後述するように付加情報ファイルや情報確認用ＷＥＢファイルも格納される。
【００５４】
前記ステップＳ１４では、撮影画像（工事画像）が記録されたＧＰＳ情報付きの画像ファイル（情報付加画像ファイル）を工事画像フォルダFOR-CONST に格納する。
【００５５】
次に、工事画像の付属情報として工事基本付加情報を入力・記録する場合について説明する。
【００５６】
この場合、撮像装置１０の電源／モードスイッチ２４を「再生位置」に合わせ、「再生モード」に設定する。この「再生モード」が設定されると、図６（Ａ）に示すように工事画像フォルダFOR-CONST と、通常画像フォルダUSR-NORMALのいずれかを選択する操作画面が液晶モニタ３０に表示される。ここで、工事画像フォルダFOR-CONST が選択されると、工事画像フォルダFOR-CONST 内の画像ファイルや情報確認用ＷＥＢファイルの表示が可能になる。
【００５７】
ここで、工事画像フォルダFOR-CONST 内の画像ファイルの中から工事基本付加情報の入力対象となる画像ファイルを選択する（ステップＳ１６）。この選択は、複数の画像をインデックス表示したり、１コマ送りしながら選択することができる。
【００５８】
工事基本付加情報の入力対象となる画像が選択されると、工事基本付加情報を入力するか否かが判別される（ステップＳ１８）。例えば、ＭＥＮＵ／ＯＫボタン３６等を操作して工事基本付加情報の入力が選択されると、ＧＵＩ（グラフィック・ユーザー・インターフェース）を用いた工事基本付加情報の入力が可能になる（ステップＳ２０）。
【００５９】
ステップＳ２０でのＧＵＩによる工事基本付加情報の入力は、図７（Ａ）及び（Ｂ）に示すように液晶モニタ３０に工事優先度の選択項目、工事進捗レベルの選択項目を入力操作に応じて順次表示させ、現場監督等の工事関係者が所望の項目を十字ボタン３４を操作して選択し、ＭＥＮＵ／ＯＫボタン３６を操作して確定させることによって行なわれる。尚、入力可能な工事基本付加情報としては、上記情報の他に、工事箇所の重要度レベルの情報、規模レベルの情報、予算レベルの情報、資材過不足要求レベルの情報、及びメッセージファイルリンク先情報等を入力することができる。
【００６０】
一方、工事基本付加情報の入力を選択しない場合には、何も入力されずにステップＳ２４に移行する（ステップＳ２２）。
【００６１】
次に、工事報告データを確認するか否かが判別され（ステップＳ２４）、ＭＥＮＵ／ＯＫボタン３６等を操作して工事報告データの確認が選択されると、図６（Ｂ）に示すように液晶モニタ３０上に工事画像とともに、ＧＰＳ情報、工事基本付加情報の文字情報、及び現場監督者コメント等が表示される（ステップＳ２６）。尚、工事報告データの確認を選択しない場合には、何も表示せずにステップＳ３０に移行する（ステップＳ２８）。
【００６２】
ステップＳ３０では、工事画像に関連付けて工事基本付加情報等を記憶メディア１５０に記録する。
【００６３】
尚、図６（Ａ）において、通常画像フォルダUSR-NORMALを選択すると、図６（Ｃ）に示すように一般のデジタルカメラと同様に通常画像を表示させることができる。この場合には、前記工事基本付加情報を入力することができない。
【００６４】
次に、工事画像フォルダFOR-CONST に格納される情報付加画像ファイルのデータ構造について説明する。
【００６５】
図８は情報付加画像ファイルのデータ構造の一例を示す図であり、デジタルカメラの画像記録フォーマットである、Exif2.2 の画像記録に関する規格に準拠している。
【００６６】
図８に示す各データは、以下の通りである。
・SOS(Start-Of-Image) ：画像データ先頭マーカ（画像データの開始）
・APP1：アプリケーションマーカセグメント（Exif付属情報) 
・APP2：アプリケーションマーカセグメント（Flashpixデータ用) 
・DQ：量子化テーブル（高周波成分をカット）
・DHT ：ハフマンテーブル（符号の出現確率に応じて符号の割り当てを行なう）
・DRI ：リスタートマーカ（DPCMを実施する際の数MCU 単位の間に挿入される値) 
・SOF(Start-Of-Frame) ：画像サイズ、スキャンの数、スキャンのID、量子化ビット数、量子化テーブル（画像データの仕様など）
・SOS(Start-Of-Scan)：スキャンヘッダ→ブロック数、ブロックのID（ブロックごと）、ハフマン符号化用テーブル（ブロックごと）
・EOI(End-Of-Image) ：画像の終了マーカ（画像の終了）
上記APP1内部では、Exif2.2 以上では、ＧＰＳに関する付属情報については、GPSinfoIFD内部に記録するような形をとっている。図９にGPSinfoIFD内部に記録されるＧＰＳに関する付属情報の一覧を示す。
【００６７】
この実施の形態では、GPSinfoIFDと同様に、CONSTinfoIFDに工事基本付加情報を記録するようにしている。図１０にCONSTinfoIFDに記録される工事基本付加情報の一覧を示す。
【００６８】
図１０に示すように工事基本付加情報として、以下の代表例が挙げられる。
・ＧＰＳ情報地図リンク：アプリケーションソフトや地図情報のソフトなどに画像をマッピングするための情報であり、具体的には、北緯α度、東経β度などのＧＰＳ情報に対して付加情報として記録される。これにより、地図アプリケーション上での画像のマッピングが容易となり、ユーザのマッピングの手間を省くことができる。
・工事箇所の重要度レベル／予算レベル／規模レベル／工事進捗レベル／工程優先度／資材過不足要求レベル／現場監督メッセージ：その工事箇所が点在する工事全体の中でどれだけ重要か、どれだけの予算・工事規模等を示す。また、工程優先度と進捗レベルの情報は、これから現場監督者に対して建設総責任者がどのように指示をしたらよいかの判断材料となる情報であり、資材過不足要求レベルは、工事の進捗状況に応じて、どの時期にどれだけの資材を供給すればよいかの判断に利用される。メッセージに関しては、携帯電話やパソコンなどによって入力されたコメントの情報にアクセスするためのリンク先などを保存した形を採る。
【００６９】
この撮像装置１０は、上述したように情報付加画像ファイルを作成・記録することができるとともに、各情報付加画像ファイルに関連付けて、付加情報ファイル及び情報確認用ＷＥＢファイルを作成し、工事画像フォルダに格納する（図５参照）。
【００７０】
付加情報ファイルは、ＧＰＳ情報、工事基本付加情報、撮影条件情報、撮影時間情報などが付加されたテキストファイルである。
【００７１】
情報確認用ＷＥＢファイルは、撮像装置自体、又は携帯情報端末（ＰＤＡ）や携帯電話など軽いＯＳなどにおいて簡易的に表示するためのＷＥＢブラウザのためのHTML、XML などのハイパーテキストファイルであり、工事画像、工事基本付加情報、メッセージ等を表示することができる。
【００７２】
また、この撮像装置１０は、工事現場の被写体（工事画像）の撮影方向を測位し、その撮影方向もＧＰＳ情報と同様に記録できるようになっている。
【００７３】
撮影方向を測位・記録する場合、まず、撮像装置１０のモードを測位モードに設定する。測位モードの設定は、電源／モードスイッチ２４を撮影位置に合わせるとともに、モードダイヤル２６を「測位モード」に合わせることにより行われる。そして、この測位モードに設定した状態でユーザは被写体となるものの位置Ｐ0 でシャッターボタン２２を押す。例えば、図１１に示すように、建築物を撮影する場合には、その被写体となる建築物の位置でシャッターボタン２２を押す。
【００７４】
シャッターボタン２２が押されると、ＣＰＵ１１０は、ＧＰＳ装置１８２にコマンドを出力し、現在位置Ｐ0 の緯度と経度を計測させる。そして、計測された緯度と経度の情報をＧＰＳ装置１８２から取得し、被写体位置の情報としてＥＥＰＲＯＭ１１８の所定の記憶領域に記録させる。この際、計測された緯度と経度を液晶モニタ３０に表示させるようにしてもよい。
【００７５】
このように、被写体位置Ｐ0 の設定は、撮像装置１０のモードを測位モードに設定し、被写体となるものの位置でシャッターボタン２２を押すことにより行われる。
【００７６】
尚、ＥＥＰＲＯＭ１１８に記録される被写体位置の情報は、シャッターボタン２２が押される度に更新され、新たな情報に書き換えられる。
【００７７】
その後、撮像装置１０は撮影の指示待ちの状態となり、ユーザは、撮影位置Ｐ1 から被写体の方向に撮像装置１０を向け、シャッターボタン２２を全半押しすると、被写体位置Ｐ0 と撮影位置Ｐ1 の２点の位置データが取得できるので、この２点の位置データから撮影方向や被写体距離Ｄを求めることができる。これによれば、ＧＰＳ装置１８２がジャイロ搭載のＧＰＳ装置でなくても撮影方向を測位し、記録することができる。
【００７８】
尚、この実施の形態では、再生モード時に工事画像フォルダ内の画像再生時に工事基本付加情報の入力ができるようにしたが、これに限らず、工事画像の撮影を選択した場合には、その工事画像の撮影後に自動的に工事基本付加情報を入力するためのＧＵＩが起動して工事基本付加情報を入力できるようにしてもよい。
［工事情報管理システム］
次に、撮像装置１０の記憶メディア１５０に記録された情報付加画像ファイルを有効活用する工事情報管理システムについて説明する。
【００７９】
図１２は上記工事情報管理システムのシステム構成図である。
【００８０】
このシステムは、主として社内ネットワークサーバ２００と、各部署ネットワークサーバ２１０と、サーバ管理用パーソナルコンピュータ（ＰＣ）２２０と、画像データベース２３０と、クライアントＰＣ１〜３とから構成されている。
【００８１】
前述した撮像装置１０としては、専用のデジタルカメラ１０Ａ、カメラ付きＰＤＡ１０Ｂ、カメラ付き携帯電話１０Ｃ、及び無線通信機能付きデジタルカメラ１０Ｄ等が適用できる。
【００８２】
デジタルカメラ１０Ａやカメラ付きＰＤＡ１０Ｂによって記憶メディア１５０に記録された情報付加画像ファイルは、記憶メディア１５０をノートＰＣ２４０に装填し、又はデジタルカメラ１０Ａやカメラ付きＰＤＡ１０ＢをノートＰＣ２４０とＵＳＢケーブル等で接続することにより、通信機能を有するノートＰＣ２４０に情報付加画像ファイルが渡される。
【００８３】
ノートＰＣ２４０からは、電波塔２４２、ＩＳＰ（インターネット・プロバイダ）２４４を通して情報付加画像ファイルが社内ネットワークサーバ２００に伝送され、その後、各部署ネットワークサーバ２１０に伝送される。各部署ネットワークサーバ２１０に伝送された情報付加画像ファイルは、画像データベース２３０で保存管理される。
【００８４】
同様にカメラ付き携帯電話１０Ｃからは、電波塔２４２、ＩＳＰ２４４を通して情報付加画像ファイルが社内ネットワークサーバ２００に伝送され、無線通信機能付きデジタルカメラ１０Ｄからは、アクセスポイント２４６、ＩＳＰ２４４を通して情報付加画像ファイルが社内ネットワークサーバ２００に伝送され、これらの情報付加画像ファイルは、画像データベース２３０に保存管理される。
【００８５】
サーバ管理用ＰＣ２２０は、地図データベース、ユーザ管理ソフト、画像マッピングソフト、工事情報管理用のアプリケーションソフトウエア（以下、「工事情報管理ソフト」と称す）を備えている。尚、工事情報管理ソフトは、画像マッピングソフトを含むものでもよいし、連携するものでもよい。
【００８６】
画像マッピングソフトは、ＧＰＳ情報に基づいて地図データベースから対応する地図データを読み出し、この地図データが示す電子地図上に前記ＧＰＳ情報を有する画像（サムネイル画像等）を貼り付けるもので、電子地図ソフトを含み、又は電子地図ソフトと連携するものである。
【００８７】
工事情報管理ソフトは、画像データベース２３０で管理された情報付加画像ファイルの情報等を工事情報管理ソフトを通して、各クライアントＰＣ１〜３がアクセス可能にするもので、情報付加画像ファイルのタグ情報から必要な情報（ＧＰＳ情報、時間情報、工事基本付加情報等）を読み取り、自動的に工事現場のマッピング画像及び工事基本付加情報を示す文字情報を閲覧させるためのHTMLファイルを作成・更新し、また、画像や詳細地図、コメントへのリンクを貼り、各部署ネットワークサーバ２１０にアップロードする。
【００８８】
次に、上記工事情報管理システムでの処理の流れについて説明する。
【００８９】
図１３において、工事現場の撮影を行なう撮像装置１０から情報付加画像ファイルをＩＳＰ２４４を通じて社内ネットワークサーバ２００に伝送する（ステップＳ５０）。この情報付加画像ファイルは、画像データベース２３０に伝送され、ここで保存管理される（ステップＳ５２）。
【００９０】
画像データベース２３０で管理された情報付加画像ファイルの情報は、工事情報管理ソフトを通して建設総責任者、現場建設責任者、及びその他のクライアント等によって共有される（ステップＳ５４）。
【００９１】
即ち、クライアントＰＣ１〜３において、各部署ネットワークサーバ２１０のＷｅｂサイトにアクセスし、ユーザＩＤ、パスワードを入力してログインすることにより情報を共有することができる。
【００９２】
例えば、ログイン後に工事地域全体地図情報の閲覧を要求すると、図１４（Ａ）に示すように画像がマッピングされた工事地域全体地図、工事現場のＧＰＳ情報、工事のレベル（重要度レベル、優先レベル、予算規模レベル）、ＧＰＳ付加情報の画像組み込みリンク先、現場監督者→建設総責任者へのコメント情報（進捗、資材調達依頼など）を閲覧することができる。
【００９３】
また、上記ＧＰＳ付加情報の画像組み込みリンク先にアクセスすると、図１４（Ｂ）に示すように、より詳しい地図情報を確認することができ、今度は前記の場合と逆に建設総責任者→現場監督者へのコメント情報（資材在庫状況・調達予定、今後の予定指示）を閲覧することができる。
【００９４】
更に、図１４（Ｃ）に示すように複数の工事現場の状況も把握することができ、これにより複数の工事現場のポイントにおける人員の配分／応援等、予算管理、日程管理などを行なうことができる。
【００９５】
このようにして閲覧された情報は、今後の建設計画や会議などに活用される（ステップＳ５６）。そして、建設計画情報を入力するかが判別され（ステップＳ５８）、建設計画情報を入力する場合には、建設総責任者／現場監督者が建設計画を作成し、その建設計画を入力する（ステップＳ６０）。この建設計画の入力は、権限のある建設総責任者／現場監督者がＷｅｂサイト上で行なったり、画像等に関連付けて電子メールで行なうことができる。
【００９６】
一方、建設計画情報の入力を選択しない場合には、何も入力されずにステップＳ６４に移行する（ステップＳ６２）。そして、建設プロジェクトが終了しない場合には、ステップＳ５４に戻り、建設プロジェクトが終了すると、この工事情報管理システムでの処理が終了する。
【００９７】
尚、図１２に示した工事情報管理システムを構成する社内ネットワークサーバ２００、各部署ネットワークサーバ２１０、及びサーバ管理用ＰＣ２２０は、１つのサーバに統合されたものでもよい。
【００９８】
また、この実施の形態では、撮像装置１０から情報付加画像ファイルを収集してこれを画像データベース２３０で管理するようにしているが、撮像装置１０から付加情報ファイル（Infoファイル) を画像ファイルに関連付けて収集し、これを画像データベース２３０等で管理するようにしてもよい。この場合、工事情報管理ソフトは、情報付加画像ファイルのタグ情報から必要な情報を読み取る必要がなく、付加情報ファイルから必要な情報（ＧＰＳ情報、時間情報、工事基本付加情報等）を読み取ることができる。
【００９９】
更に、撮像装置１０で取得された情報付加画像ファイル等を作業者同士で交換することにより、各作業者は必要な情報を得ることができる。この場合の撮像装置１０としては、ナビゲーション機能付きのＰＤＡ、携帯電話、又はノートＰＣ等が好ましく、工事基本付加情報、コメント等の他に、工事現場の目印を電子地図と地図マッピングデジタル画像を表示させることができる。
【図面の簡単な説明】
【０１００】
【図１】図１は本発明に係る撮像装置の正面斜視図である。
【図２】図２は上記撮像装置の背面斜視図である。
【図３】図３は上記撮像装置の電気的構成を示すブロック図である。
【図４】図４は上記撮像装置における工事画像の撮影・記録処理時の動作を説明するために用いたフローチャートである。
【図５】図５は記憶メディア内のフォルダツリー構成を示す図である。
【図６】図６はフォルダの選択ＧＵＩ等を示す図である。
【図７】図７は工事基本付加情報の入力ＧＵＩを示す図である。
【図８】図８は情報付加画像ファイルのデータ構造の一例を示す図である。
【図９】図９はデジタルカメラ用のExifファイル規定におけるＧＰＳに関する付属情報を示す図表である。
【図１０】図１０はExifファイルのタグ情報として記録される工事基本付加情報を示す図である。
【図１１】図１１は被写体の撮影方向の測定及び被写体距離の算出方法の説明図である。
【図１２】図１２は工事情報管理システムのシステム構成図である。
【図１３】図１３は工事情報管理システムでの処理の流れを説明するために用いたフローチャートである。
【図１４】図１４は工事情報管理ソフトを通して表示される建設工事情報の一例を示す図である。
【符号の説明】
【０１０１】
１０…撮像装置、１０Ａ…デジタルカメラ、１０Ｂ…カメラ付きＰＤＡ、１０Ｃ…カメラ付き携帯電話、１０Ｄ…無線通信機能付きデジタルカメラ、１４…撮影レンズ、２２…シャッターボタン、２４…電源／モードスイッチ、２６…モードダイヤル、３０…液晶モニタ、３４…十字ボタン、３６…ＭＥＮＵ／ＯＫボタン、４０…ＢＡＣＫボタン、４４…ＵＳＢ端子、１１０…ＣＰＵ、１１２…操作部、１１６…ＲＯＭ、１１８…ＥＥＰＲＯＭ、１２０…メモリ（ＳＤＲＡＭ）、１２２…ＶＲＡＭ、１２６…光学ユニット、１３４…撮像素子、１３６…タイミングジェネレータ（ＴＧ）、１４４…画像信号処理回路、１４６…圧縮・伸張処理回路、１４８…メディアコントローラ、１５０…記憶メディア（メモリカード）、１５４…ＬＣＤ／ビデオエンコーダ、１５６…ＯＳＤ回路、１８０…ＵＳＢコントローラ、１８２…ＧＰＳ装置
【図１】
2006074701.tif 000003
【図２】
2006074701.tif 000004
【図３】
2006074701.tif 000005
【図４】
2006074701.tif 000006
【図５】
2006074701.tif 000007
【図６】
2006074701.tif 000008
【図７】
2006074701.tif 000009
【図８】
2006074701.tif 000010
【図９】
2006074701.tif 000011
【図１０】
2006074701.tif 000012
【図１１】
2006074701.tif 000013
【図１２】
2006074701.tif 000014
【図１３】
2006074701.tif 000015
【図１４】
2006074701.tif 000016